(57)【要約】【課題】ＰＨＳ無線電話機のプッシュボタンによって電気機器を容易に遠隔制御できるようにすること。【解決手段】携帯端末装置７は、アダプタ装置８から送信される接続手順に基づき制御装置６に接続し、電気機器５の制御内容を表示手段Ｂと選択手段Ｂを用いて選択し、制御装置６はこの選択された制御内容に対応する制御電文を電気機器５に送信する。これによって、アダプタ装置８を用いて携帯端末装置７から電気機器を容易に制御することが可能となる。【選択図】  図１
2004180102.tif 000002
【特許請求の範囲】
【請求項１】
電気機器に関する情報を記憶し前記電気機器を制御する制御装置と、前記制御装置に接続されたパーソナルコンピューター（以下、ＰＣと呼ぶ）と、ネットワーク網を介して接続され前記ＰＣとの接続手順のプログラムを記憶しこの接続手順によって前記ＰＣに接続する携帯端末装置とからなり、前記ＰＣは前記携帯端末装置からの選択により、前記電気機器の制御内容を前記制御装置から取得し、前記携帯端末装置に前記電気機器の制御内容を表示し且つ選択させて前記電気機器を遠隔制御する遠隔制御システム。
【請求項２】
ＰＣと接続された起動装置を備え、前記ＰＣはリモートから起動される機能であるウェイクアップオンラン手段を有し、前記起動装置は起動信号を前記ＰＣに送信することにより、節電状態である前記ＰＣを携帯端末装置から起動し、電気機器を遠隔制御する請求項１記載の遠隔制御システム。
【請求項３】
起動装置と無線で通信を行い、ＰＣへの電源の供給制御を行う電源制御装置を有し、携帯端末装置から前記起動装置および前記電源制御装置を用いて、前記ＰＣへの電源の供給を行うことにより、前記ＰＣを起動し、電気機器を遠隔制御する請求項１または２記載の遠隔制御システム。
【請求項４】
ＰＣに接続され、ＰＣへの電気機器に関する情報の送信や、ＰＣからの制御により前記電気機器を制御する請求項１、２または３記載の制御装置。
【発明の詳細な説明】
【０００１】
【発明の属する技術分野】
本発明は、室内に設置された電気機器に外部から手軽にアクセスし制御できるようにした遠隔制御システム及びその制御装置に関するものである。
【０００２】
【従来の技術】
従来、この種の遠隔制御システムとしては、例えば、特許文献１に記載されているようなものがあった。図１２は、前記文献に記載された従来の遠隔制御システムを示すものである。
【０００３】
図１２において、１はＰＨＳ無線電話機、２はネットワーク網、３はＰＨＳ無線電話機、４は制御器、５は電気機器である。使用者が電気機器５を制御する場合、ＰＨＳ無線電話機１のプッシュボタンを操作して、ネットワーク網２を介して自宅のＰＨＳ無線電話機３に電話をかけると、ＰＨＳ無線電話機１とＰＨＳ無線電話機３が双方向通信状態となる。制御器４はこの電話を受け付け、通信データ入力待ち状態となる。ここで例えばＰＨＳ無線電話機１から室内機器５の電源を「オン」にするための制御データ「ＩＤ０１オン」を送信すると、制御器４がこの通信データの内容を解析し、電気機器５の電源を「オン」に制御する。
【０００４】
【特許文献１】
特開平１１−２３４９２６号公報
【０００５】
【発明が解決しようとする課題】
しかしながら、前記従来の構成では、使用者が電気機器を制御する場合、ＰＨＳ無線電話機のプッシュボタンを操作して制御データを送信しなければならないので、使用者は電気機器の制御内容に対応する制御データを覚えておく必要がある、また手で入力するため入力間違い等が発生しやすく非常に使い難い、また制御する電気機器が増えた場合、電気機器の制御内容の追加や変更することが困難であるという課題を有していた。
【０００６】
本発明は、前記従来の課題を解決するもので、電気機器に外部から手軽にアクセスできかつ制御する電気機器が増えても容易に電気機器の制御内容の追加や変更ができる使い勝手に優れた遠隔制御システムまたは制御装置を提供することを目的としている。
【０００７】
【課題を解決するための手段】
前記従来の課題を解決するために、本発明の遠隔制御システム及びその制御装置は、電気機器に関する情報を記憶し前記電気機器を制御する制御装置と、前記制御装置と接続されたパーソナルコンピューター（以下、ＰＣと呼ぶ）と、ネットワーク網で接続され前記ＰＣとの接続手順のプログラムを記憶しこの手順によって前記ＰＣに接続する携帯端末装置とからなる。
【０００８】
これによって前記ＰＣは前記携帯端末装置からの選択により、前記電気機器の制御内容を前記制御装置から取得し、前記携帯端末装置に前記電気機器の制御内容を表示し選択させて前記電気機器を制御する。
【０００９】
【発明の実施の形態】
請求項１に記載の発明は、電気機器に関する情報を記憶し前記電気機器を制御する制御装置と、制御装置と接続されたパーソナルコンピューターと、ネットワーク網で接続されＰＣとの接続手順のプログラムを記憶しこの手順によってＰＣに接続する携帯端末装置とからなり、ＰＣは前記携帯端末装置からの選択により、電気機器の制御内容を制御装置から取得し、携帯端末装置に電気機器の制御内容を表示し選択させて電気機器を制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない、また手で入力する必要がないため入力間違い等が発生せず、容易に電気機器を制御できる。
【００１０】
またＰＣを利用しているためＰＣ上で容易に電気機器の制御内容の追加や変更ができる。さらにセキュリティを考えた場合、制御装置は携帯端末装置からＰＣを介して接続されているため、ＰＣが有するセキュリティ機能（携帯端末装置の認証、使用者の認証、通信データの暗号化や復号化等）を利用できるため、制御装置は高機能なＣＰＵや大容量のメモリを必要とするセキュリティ機能を備える必要がない、またＰＣを利用しているためセキュリティに関連するソフトのバージョンアップ、新規ソフトの追加および使用者に合わせたカスタマイズなどを容易に行うことができ、使い勝手の向上を図ることができる。
【００１１】
請求項２に記載の発明は、ＰＣはリモートから起動される機能であるウェイクアップオンラン手段を有し、起動装置は起動信号をＰＣに送信することにより、節電状態であるＰＣを携帯端末装置から起動することできるため、電気機器を制御しないときはＰＣを節電状態にでき消費電力を低減することができる。
【００１２】
また電気機器を制御する場合、ＰＣは節電状態のため電源がＯＦＦされている場合と比較して、短時間に電気機器を制御できる状態に移行することができるため、使用者の電気機器を制御するまでの待ち時間を短縮することができより利便性を向上することができる。
【００１３】
請求項３に記載の発明は、起動装置と無線で通信を行いＰＣへの電源の供給制御を行う電源制御装置を有し、起動装置は電源制御装置に電源投入の信号を送信することにより、たとえＰＣの電源がＯＦＦにされていても携帯端末装置からＰＣへの電源供給を行い、電気機器を制御することができる。
【００１４】
請求項４に記載の発明は、制御装置はＰＣに接続される構成のため、例えば制御装置はＵＳＢインターフェースを有していれば、ＰＣからの電源供給（バスパワー）で動作することができ、電源ケーブルが不要になり小型・軽量な使い勝手の優れた制御装置を提供することができる。
【００１５】
【実施例】
以下本発明の実施例について、図面を参照にしながら説明する。
【００１６】
（実施例１）
図１は、本発明の実施例１における遠隔制御システム図を示すものである。図１において、５は電気機器、６は制御装置、７は携帯端末装置、８はアダプタ装置、９はＩＰ網、１０はパーソナルコンピューター（以下ＰＣと呼ぶ）である。
制御装置６およびＰＣ１０はそれぞれＩＰ網に接続できる機能を有しており、ＩＰアドレスを用いて通信を行っている。
【００１７】
また制御装置６とＰＣ１０も互いに通信できる。電気機器５は制御装置６からの制御電文を受信することにより制御される。また携帯端末装置７とアダプタ装置８は着脱可能な構成となっている。
【００１８】
図２は制御装置６のブロック、図３は携帯端末装置７およびアダプタ装置８のブロック図を示すものである。図２において、１１はＰＣ１０と通信を行うＰＣ通信手段Ａ、１２は電気機器を制御するための制御内容を記憶した制御内容記憶手段Ａ、１３はＰＣ通信手段Ａ１１で受信した電文を制御内容記憶手段Ａ１２に記憶された内容に基づき解析する電文解析手段Ａ、１４は電気機器１０と通信を行う通信手段Ａ、１５は前記各手段を制御する制御手段Ａである。
【００１９】
図３における携帯端末装置７において、１６は制御装置６とＩＰ網９を介してＩＰアドレスを用いてＰＣ１０と通信を行うＩＰ通信手段Ｂ、１７は制御内容記憶手段Ａ１２に記憶された内容を表示する表示手段Ｂ、１８は表示手段Ｂ１７に表示された内容を選択する選択手段Ｂ、１９はアダプタ装置８と通信する通信手段Ｂ、２０は前記各手段を制御する制御手段Ｂである。アダプタ装置８において、２１はＰＣ１０への接続の手順プログラムを記憶する接続手順記憶手段Ｃ、２２は携帯端末装置７と通信を行う通信手段Ｃ、２３は前記各手段を制御する制御手段Ｃである。また、図４は実施例の動作を示す通信シーケンスである。
【００２０】
以上のように構成された遠隔制御システムについて、以下その動作、作用を説明する。まず、アダプタ装置８から携帯端末装置７、ＩＰ網９、ＰＣ１０および制御装置６を介して電気機器１０を制御する方法について説明する。アダプタ装置８が携帯端末装置７に接続されると、アダプタ装置８における制御手段Ｃ２３が通信手段Ｃ２２を用いて携帯端末装置７に接続されたこと検出する。そして接続手順記憶手段Ｃ２１に記憶された接続の手順プログラムを携帯端末装置７に出力する。
【００２１】
ここでは、接続先のＰＣ１０のＩＰアドレス（ＵＲＬ）とＰＣ１０から取得した情報を表示する旨の信号を出力する（ｓ１）。携帯端末装置７における制御手段Ｂ２０は通信手段Ｂ１９を介してこの信号を受信すると、この信号に基づきＩＰ網９を介してＰＣ１０に接続要求を送信する（ｓ２）。ＰＣ１０は送信先ＩＰアドレスが自装置のＩＰアドレスと一致した場合はこの接続要求の受信を行い、制御装置６に対して電気機器５の制御可能な内容を要求する電文を送信する。
【００２２】
制御装置６における制御手段Ａ１５はＰＣ通信手段Ａ１１を介してこの要求電文の受信を行い、ＰＣ通信手段Ａ１１を用いて制御内容記憶手段Ａ１２に記憶されている例えば、ＨＴＭＬ言語で記述された電気機器１０の制御できる内容をＰＣ１０に返信する。
【００２３】
ＰＣ１０はこの電気機器１０の制御できる内容を携帯端末装置７に返信する（ｓ３）。携帯端末装置７は制御手段Ｂ２０の制御により通信手段Ｂ１９を介してこの返信を受信し、制御手段Ｂ２０が表示手段Ｂ１７を用いてＨＴＭＬ形式の言語を表示できるブラウザ等を使用して表示する（ｓ４）。そして使用者は選択手段Ｂ２０を用いてこの表示手段Ｂ１７に表示された電気機器１０の制御内容から制御したい項目を選択する（ｓ５）。そして制御手段Ｂ２０はこの選択された内容を前述と同様にＰＣ１０に送信する（ｓ６）。ＰＣ１０はこの電文を受信し制御装置６に送信する（ｓ７）。制御装置６における制御手段Ａ１５はこの電文の内容を電文解析手段Ａ１３と制御内容記憶手段Ａ１２とを用いて制御内容を解析する（ｓ７）。そして通信手段Ａ１４を用いてこの制御内容を含んだ制御電文を無線で電気機器１０に対して送信することにより電気機器１０を制御する（ｓ８）。
【００２４】
従って、使用者が電気機器１０を制御する場合、無線電話機等のプッシュボタンを操作して制御データを送信する必要がなく、また携帯端末装置７の画面等の表示手段Ｂ１７から制御した電気機器１０の制御内容を選択できるため、電気機器１０の制御内容に対応する制御データを覚えておく必要がない、また手で入力する必要がないため入力間違い等が発生せず、容易に電気機器１０を制御できる。
【００２５】
また、制御装置６には電気機器５の制御内容をＨＴＭＬ形式で保存しておき、携帯端末装置７からブラウザ等を用いて制御装置６に記憶されＨＴＭＬ形式のデータにアクセスし電気機器５を制御するように構成することにより、複数のＰＣがある場合でもＰＣに保存された電気機器５の制御内容を都度移動することなく、制御装置６を付け替えるだけで電気機器５を制御することができる。
【００２６】
なお、ＰＣ１０はあらかじめ制御装置６から電気機器５の制御内容を取得し、メモリに保存しおき、接続要求（ｓ２）に対して、このメモリに保存しておいた電気機器５の制御可能内容を携帯端末装置７に送信するようにすることもできる。
【００２７】
また、電気機器５の制御内容をあらかじめ携帯端末装置７に保存しておきＰＣ１０に接続要求を送信後（ｓ２）、携帯端末装置７からＰＣ１０を介して制御装置６に制御内容を送信（ｓ６）するようにすることもできる。これらの動作を携帯端末装置７でＪＡＶＡ（Ｒ）等を用いて作られたアプリケーションソフトを実行することで実現する方法も考えられる。
【００２８】
また、携帯端末装置７はＰＣ１０とＩＰ網９を介して接続するとして説明したが、携帯端末装置７はＩＰ網９を介してサーバーに接続し、サーバーを経由してＰＣ１０と接続し、制御内容送信（ｓ５）をサーバーが行うような構成も考えられる。
【００２９】
なお、接続手順記憶手段Ｃ２１にはＰＣ１０への接続の手順プログラムを記憶するとして説明したが、制御装置６への接続手順プログラムの記憶や、その両方への接続の手順プログラムを記憶するようにすることもできる。また、ＰＣ１０で電気機器５の制御内容をＨＴＭＬ形式のデータに変換するようにすることもできる。
【００３０】
また、制御装置６における制御内容記憶手段Ａ１２に記憶しておく電気機器１０の制御内容に関しては、あらかじめパソコンや設定機などから設定しておく方法や、制御装置６が電気機器１０からメーカー名や品番等の電気機器１０を識別できる情報を取得し、サービスセンターなどからＩＰ網９を介して自動的に取得する方法が考えられる。また使用者の要望に応じて制御内容記憶手段Ａ１２に記憶されている内容を変更・更新するようにすることもできる。
【００３１】
また、本実施例では、携帯端末装置７から制御装置６を用いて電気機器１０を制御する場合について説明したが、電気機器１０の状態を制御装置６からＰＣ１０を介して携帯端末装置７に送信することも同様に実施することができる。
【００３２】
そしてなお、本実施例では携帯端末装置７がすでにＩＰ網９に接続されているとして説明したが、まだＩＰ網９に接続されておらずダイアルアップを用いて接続する場合は、アダプタ装置８から携帯端末装置７にダイアルＮｏ、ユーザーＩＤおよびパスワードを送出することにより自動的に携帯端末装置７がＩＰ網９に接続するようにすることもできる。
【００３３】
また、携帯端末装置７にあらかじめダイアルＮｏ、ユーザーＩＤおよびパスワードが記憶されている場合は、アダプタ装置８は携帯端末装置７に対してそれらを用いてＩＰ網９に接続する旨の信号を送出することにより携帯端末装置７がＩＰ網９に接続するようにすることもできる。
【００３４】
また、図５において２４は操作手段Ｃである。図５に示すように、アダプタ装置８に操作手段Ｃ２４をもうけることにより、制御手段Ｃ２３が操作手段Ｃ２４からの信号を受信することで図４におけるｓ１で示す動作を開始するようにすることもできる。このことにより、操作手段Ｃ２４を操作したときのみ制御装置６に接続されるので、使用者の使い方に合わせて任意の時間に制御装置６に接続することができる。
【００３５】
また、図６の通信シーケンスに示すように、アダプタ装置８における操作手段Ｃ２４により制御内容を選択し（ｓ９）し、制御手段Ｃ２３は通信手段Ｃ２２を用いて図４の（ｓ１）で示したＰＣ１０のＵＲＬ（ＩＰアドレス）に接続する旨の信号および（ｓ６）で示した電気機器１０を制御する内容を含んだ信号の両方を携帯端末装置７に送信する（ｓ１０）。そして、その情報が携帯端末装置７からＩＰ網９を介してＰＣ１０に送信される（ｓ１１）。そして前述と同様に制御装置６は電気機器１０を制御する（ｓ７，ｓ８）。このことにより、携帯端末装置７を操作することなく操作手段Ｃ２４を操作するだけで電気機器１０を制御できるので、電気機器１０を制御するためのキー操作等の必要がなくなり、簡単に電気機器１０を制御することができる。
【００３６】
また、操作手段Ｃ２４に携帯端末装置７やアダプタ装置８の電源のＯＮ／ＯＦＦ、携帯端末装置７から制御装置６への接続の禁止／解除、携帯端末装置７やアダプタ装置８の低消費電力モードへの移行／解除等の機能を持たせることができる。
【００３７】
なお、先に述べた制御内容としては、電気機器１０への状態設定（電源のＯＮ／ＯＦＦ等）、現在の電気機器１０の状態取得（エアコンなら、設定温度等）、また同様に制御装置６への状態設定や電気機器１０の制御履歴が考えられる。
【００３８】
（実施例２）
図７は、本発明の実施例２における遠隔制御システムにおける制御装置６のブロック図を示し、図８は携帯端末装置７およびアダプタ装置８のブロック図を示しすもである。実施例１と同一符号は同一機能を有し、実施例１と異なるところは、制御装置６およびアダプタ装置８にそれぞれ認証のために必要な認証番号を記憶する認証手段Ａ２５および認証手段Ｃ２６を設けた点である。また、図９は実施例の動作を示す通信シーケンスである。
【００３９】
以上のように構成された遠隔制御システムについて、以下その動作、作用を説明する。図９において（ｓ１）、（ｓ２）は図４における実施例１と同様の動作であるが、（ｓ１２）の部分が異なる。つまりＰＣ１０は携帯端末装置７からの接続要求を受信すると、送信先ＩＰアドレスが自装置のＩＰアドレスと一致した場合はこの接続要求の受信を行い、この接続要求電文を制御装置６に送信する。
そして制御装置６はＰＣ１０を介して認証番号要求電文を携帯端末装置７に返信する（ｓ１２）。
【００４０】
そしてこの認証番号要求電文はアダプタ装置８に送信され、アダプタ装置８はこの認証番号要求電文を制御手段Ｃ２３の制御により通信手段Ｃ２２を介して受信する（ｓ１３）。そしてこの電文に対して認証番号を含んだ応答電文を携帯端末装置７およびＩＰ網９を介してＰＣ１０に対して送信する（ｓ１４、ｓ１５）。
【００４１】
ＰＣ１０はこの応答電文を制御装置６に送信する。制御装置６における制御手段Ａ１５は認証手段Ａ２５を用いて、この認証番号があらかじめ認証手段Ａ２５に記憶されている認証番号と一致するか否かを判定し、一致した場合は以降実施例１と同様の動作をする。従ってインターネット等のＩＰ網を用いる場合でもセキュリティを確保し電気機器１０を制御することができる。
【００４２】
なお、本実施例では、（ｓ１４）でアダプタ装置８が認証番号を送信するとしたが、図９における（ｓ１）で認証番号を携帯端末装置７に送信しておき、（ｓ１４）は携帯端末装置７が行うようにすることもできる。また、（ｓ１でＩＰアドレスと一緒に認証番号を送信するようにすることもできる）。
【００４３】
また、本実施例では、認証番号を用いて動作を説明したが、認証のための認証手順をあらかじめ決めておき、この手順を踏んだときのみＰＣ１０が（ｓ３）の動作に移行できるようにすることもできる。
【００４４】
さらに、認証手段Ａ２５および認証手段Ｃ２６に記憶しておく、認証番号または認証手順を記憶させる方法として、あらかじめパソコンや設定機などから設定しておく方法が考えられる。
【００４５】
また、認証手段Ａ２５および認証手段Ｃ２６に記憶しておく、認証番号または認証手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ２２を用いて認証手段Ｃ２６に記憶された認証番号や認証手順を自動的に制御装置６に送信することもできる。
【００４６】
逆に制御装置６からアダプタ装置８に対して認証番号や認証手順を自動的に送信するようにすることもできる。またアダプタ装置８や制御装置６が乱数等を用いて自装置内で認証番号や認証手順を作りだすようにすることもできる。
【００４７】
従って、認証番号または認証手順を忘れたり認証番号または認証手順を間違えることにより、電気機器１０を制御できなくなるこがなくなり、使い勝手の向上を図ることができ、かつ認証番号または認証手順を頻繁に容易に変更することができ、桁数が多く複雑な認証番号を扱うことも容易となるので、セキュリティを確保し電気機器１０を制御することができる。ここではアダプタ装置８が制御装置６と着脱可能な構成として説明したが、ＰＣ１０と接続できる構成とすることにより同様に実施することもできる。
【００４８】
また、認証手段Ｃ２６および認証手段Ａ２５は認証番号または認証手順を複数記憶するとすることにより、通信毎に認証手段Ｃ２６および認証手段Ａ２５に記憶された認証番号または認証手順を切り替えるように構成することもでき、セキュリティをより向上させ電気機器１０を制御することもできる。
【００４９】
なお、認証番号としてはアダプタ装置８、制御装置６、携帯端末装置７および電気機器１０が有する製造番号や携帯端末装置７が有する電話番号、クレジットカード番号、ガス、電気および水道検針の際に用いられるお客様番号を用いることが考えられる。
【００５０】
（実施例３）
図７は、本発明の実施例３における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６およびアダプタ装置８にそれぞれ通信データを暗号化するために必要な暗号番号を記憶した暗号手段Ａ２７および暗号手段Ｃ２８を設けた点である。
【００５１】
以上のように構成された遠隔制御システムについて、以下その動作、作用を説明する。実施例１における図４の（ｓ１）において、アダプタ装置８における制御手段Ｃ２３が通信手段Ｃ２２を用いて接続手順記憶手段Ｃ２１に記憶された接続の手順プログラムを携帯端末装置７に出力する際に、アダプタ装置８における制御手段Ｃ２３は、暗号手段Ｃ２８に記憶された通信データを暗号化するために必要な暗号番号も合わせて通信手段Ｃ２２を用いて携帯端末装置７に出力する。
【００５２】
そして携帯端末装置７から制御装置６に送信される電文（ｓ２やｓ６など）は先の暗号番号に基づき暗号化される。一方制御手段Ａ１５は暗号手段Ａ２７に記憶された暗号番号に基づき受信した電文（ｓ２やｓ６など）を復号化する。よってセキュリティをより向上させた遠隔制御システムを構築することができる。
【００５３】
なお、本実施例では、制御装置６における制御手段Ａ１５が受信した電文を復号化するとして説明したが、ＰＣ１０が複合化し、複合化した平文を制御装置６に送信するようにすることや、暗号番号を用いて動作を説明したが、同様に暗号化や復号化のための暗号手順を送信するようすることや、携帯端末装置７が暗号化するとしたが、携帯端末装置７が暗号化するのと同様にアダプタ装置８が暗号化するようにすることもできる。
【００５４】
また、本実施例では、携帯端末装置７から制御装置６への通信について説明したが、ＰＣ１０から携帯端末装置７またはアダプタ装置８への通信についても同様に実施することができ、暗号化の方法としてＳＳＬやＤＥＳ等が考えられる。
【００５５】
また、暗号手段Ａ２７および暗号手段Ｃ２８に記憶しておく、暗号番号または暗号手順を記憶させる方法として、あらかじめパソコンや設定機などから設定しておく方法が考えられる。
【００５６】
また、暗号手段Ａ２７および暗号手段Ｃ２８に記憶しておく、暗号番号または暗号手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ２２を用いて暗号手段Ｃ２８に記憶された暗号番号または暗号手順を自動的に制御装置６に送信することもできる。
【００５７】
逆に制御装置６からアダプタ装置８に対して暗号番号または暗号手順を自動的に送信するようにすることもできる。ここではアダプタ装置８が制御装置６と着脱可能な構成として説明したが、ＰＣ１０と接続できる構成とすることにより同様に実施することができる。
【００５８】
また、アダプタ装置８や制御装置６が乱数等を用いて自装置内で暗号番号または暗号手順を作りだすようにすることもできる。
【００５９】
従って、暗号番号または暗号手順の忘れや暗号番号または暗号手順を間違えることにより、電気機器１０を制御できなくなるこがなくなり、使い勝手の向上を図ることができ、かつ暗号番号または暗号手順を容易に頻繁に変更することができるので、セキュリティをより向上させた遠隔制御システムを構築することができる。
【００６０】
また、暗号手段Ｃ２８および暗号手段Ａ２７は暗号番号または暗号手順を複数記憶するとすることにより、通信毎に暗号手段Ｃ２８および暗号手段Ａ２７に記憶された暗号番号または暗号手順を切り替えるように構成することもでき、セキュリティをより向上させた遠隔制御システムを構築することができる。
【００６１】
なお、暗号番号としてアダプタ装置８、制御装置６および携帯端末装置７が有する製造番号や携帯端末装置７が有する電話番号を用いることもできる。
【００６２】
また、図７において２９はセキュア通信手段Ａ、図８において３０はセキュア通信手段Ｃである。アダプタ装置８および制御装置６は、セキュア通信手段Ａおよびセキュア通信手段Ｃを用いて、アダプタ装置８とＰＣ１０間の通信やアダプタ装置８と制御装置６間の通信、もしくは制御装置６と電気機器１０間の通信時に、先に述べたような認証や暗号化をエコーネット規格におけるセキュリティの仕様であるセキュア通信の規定に準拠して通信を行うようにすることもできる。
このことにより前記セキュア通信手段Ｃを用いてアダプタ装置８と通信を行うので、セキュリティをより向上させ電気機器１０を制御することができ、かつ通信仕様が世の中に公開されているので異なるメーカー間でも通信が可能となりシステムの拡張性が高まり、新たに仕様を作成する必要がないため開発コストの低減、開発期間の短縮を図ることができる。
【００６３】
（実施例４）
図７は、本発明の実施例４における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６およびアダプタ装置８にそれぞれＩＰアドレスを用いて通信を行うためのポート番号を記憶したポート番号記憶手段Ａ３１およびポート番号記憶手段Ｃ３２を設けた点である。
【００６４】
以上のように構成された遠隔制御システムについて、以下その動作、作用を説明する。実施例１における図４の（ｓ１）において、アダプタ装置８における制御手段Ｃ２３が通信手段Ｃ２２を用いて接続手順記憶手段Ｃ２１に記憶された接続の手順プログラムを携帯端末装置７に出力する際に、アダプタ装置８における制御手段Ｃ２３は、ポート番号記憶手段Ｃ３２に記憶されたＩＰアドレスを用いて通信を行う（例えば、ＨＴＴＰ通信）ためのポート番号も通信手段Ｃ２２を用いて携帯端末装置７に送信する。そして携帯端末装置７からＰＣ１０に送信される電文（ｓ２やｓ６など）には先のポート番号も含まれている。
【００６５】
一方制御手段Ａ１５もポート番号記憶手段Ａ３１に記憶されたポート番号を用いて通信を行う。ここで、ポート番号記憶手段Ａ３１およびポート番号記憶手段Ｃ３２に記憶しておくポート番号を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ２２を用いてポート番号記憶手段Ｃ３２に記憶されたポート番号を自動的に制御装置６に送信することもできる。逆に制御装置６からアダプタ装置８に対してポート番号を自動的に送信するようにすることもできる。
【００６６】
ここではアダプタ装置８が制御装置６と着脱可能な構成として説明したが、ＰＣ１０と接続できる構成とすることのより同様に実施することができる。また、アダプタ装置８や制御装置６が乱数等を用いて自装置内でポート番号を作りだすようにすることもできる。従って、ポート番号を忘れや、間違えにより電気機器１０を制御できなくなるこがなくなり、使い勝手の向上を図ることができ、かつポート番号を容易に頻繁に変更することができるので、セキュリティをより向上させた遠隔制御システムを構築することができる。
【００６７】
また、ポート番号記憶手段Ｃ３２およびポート番号記憶手段Ａ３１はポート番号を複数記憶するとすることにより、通信毎にポート番号記憶手段Ｃ３２およびポート番号記憶手段Ａ３１に記憶されたポート番号を切り替えるように構成することができ、セキュリティをより向上させた遠隔制御システムを構築することができる。
【００６８】
なお、本実施例では、携帯端末装置７から制御装置６への通信について説明したが、制御装置６から携帯端末装置７またはアダプタ装置８への通信についても同様に実施することができる。
【００６９】
また、ポート番号記憶手段Ａ３１およびポート番号記憶手段Ｃ３２に記憶しておくポート番号を記憶させる方法として、あらかじめパソコンや設定機などから設定しておく方法がある。
【００７０】
（実施例５）
図７は、本発明の実施例５における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６にメールを送信するメール送信手段Ａ３３と、アダプタ装置８にメールを受信するメール受信手段Ｃ３４を設けた点である。
【００７１】
以上のように構成された遠隔制御システムについて、以下その動作、作用を説明する。制御装置６における制御手段Ａ１５はＰＣ１０に記憶されたＩＰアドレスを監視しており、ＩＰアドレスが変更された場合、変更されたＩＰアドレスをＰＣ通信手段Ａ１１から取得し、メール送信手段Ａ３３を用いて、宛先に携帯端末装置７のメールアドレスを入れ、また例えば、本文にＩＰアドレスを記入しあらかじめ登録されたメールサーバーに対してメールを送信する。ここでメールサーバーと認証が必要な場合は、ユーザー名やパスワードをメールサーバーに送信することにより認証を行ってからメールを送信する。
【００７２】
一方、アダプタ装置８における制御手段Ｃ２３はメール受信手段Ｃ３４からの信号に基づき通信手段Ｃ２２を介してアダプタ装置８を用いてメールサーバーにアクセスし、ユーザー名やパスワードをメールサーバーに送信することにより認証を行い、前述の制御装置６から送信されたメールを受信し、メールの本文からＰＣ１０のＩＰアドレスを取得する。そして今後アダプタ装置８からＰＣ１０に電文を送信する場合はこの取得したＩＰアドレスを用いて通信する。従ってＰＣ１０は固定ＩＰアドレスを持っていないために、ＩＰアドレスが変更された場合でもアダプタ装置８から制御装置６を介して電気機器１０を制御することができる遠隔制御システムを構築することができる。
【００７３】
なお、本実施例では、アダプタ装置８がメール受信手段Ｃ３４を有するとして説明したが、携帯端末装置７が有してＰＣ１０のＩＰアドレスの取得や記憶、さらに取得したＩＰアドレスをアダプタ装置８に送信するようにすることもできる。
【００７４】
また、本実施例では、制御装置６がアダプタ装置８に対してＰＣ１０のＩＰアドレスを通知する方法について説明したが、その逆に制御装置６はメールを受信するメール受信手段Ａ３５を有し、アダプタ装置８はメールを送信するメール送信手段Ｃ３６と、携帯端末装置７が有するＩＰアドレスを取得するＩＰアドレス取得手段Ｃ３７とを有し、前記メール送信手段Ｃ３６を用いて前記ＩＰアドレス取得手段Ｃ３７で取得したアダプタ装置８のＩＰアドレスをメールで制御装置６に対して送信し、制御装置６はＰＣ通信手段Ａ１１を用いてアダプタ装置８のＩＰアドレスをＰＣ１０に送信するようにすることができ、携帯端末装置７は固定ＩＰアドレスを持っていないために、ＩＰアドレスが変更された場合でも制御装置６から携帯端末装置７またはアダプタ装置８に対して電気機器１０の制御状態を報知するようにもできる。
【００７５】
また、本実施例ではＩＰアドレスをメールで通知するとしたが、実施例１から４で用いた認証番号、認証手順、暗号番号、暗号手順およびポート番号をメールにて通知するように構成することもできる。
【００７６】
さらに、先の実施例２から５において、制御装置６における認証手段Ａ２５、暗号手段Ａ２７、ポート番号記憶手Ａ３１、メール送信手段Ａ３３、メール受信手段Ａ３５と同等の機能をＰＣ１０が備えることにより、ＰＣ１０が制御装置６の各手段と同様のことを実施するように構成することができる。よってＰＣ１０が有するセキュリティ機能（携帯端末装置の認証、使用者の認証、通信データの暗号化等）を利用することができるため、制御装置６は高機能なＣＰＵや大容量のメモリを必要とするセキュリティ機能を備える必要がない、またＰＣ１０を利用しているためセキュリティに関連するソフトのバージョンアップ、新規ソフトの追加および使用者に合わせたカスタマイズなどを容易に行うことができ、使い勝手の向上を図ることができる。
【００７７】
なお、先の実施例１から５におけるＰＣとは、パーソナルコンピューターのことをいい、現在広く普及しているデスクトップパソコンやノートパソコンが考えられる。
【００７８】
またパーソナルコンピューターに限定されるもではなく、パーソナルコンピューターと同等の機能を持つものであれば同様に実施することができる。またＰＣ１０には前述のように携帯端末装置７や制御装置６と通信を行うためアプリケーションソフトをインストールしておくことが考えられる。
【００７９】
また、図１０に示すように、ＰＣ１０にはウェイクアップオンラン手段を有したＬＡＮカード（もしくはＬＡＮボード）を有し、このＬＡＮカードを介してハブやルーター等を介して起動装置４０と通信を行うように構成することにより、起動装置４０がＰＣ１０を起動させるための起動信号（Ｍａｇｉｃ  Ｐａｃｋｅｔ信号等）を送信することにより、携帯端末７を用いて遠隔から起動装置４０を用いて節電状態であるＰＣ１０起動し、電気機器１０を制御するようにすることもできる。
【００８０】
また図１０に示すように、ＰＣ１０への電源の供給制御を行う電源制御装置４１を設けても同様に実施できる。電源制御装置４１は図１１に示すように、４２は各手段の制御を行う制御手段、４３は制御装置６と通信を行う通信手段Ｄ、４４は通信手段Ｄ４３で受信した電文を解析する電文解析手段、４５は制御手段４２からの制御によりＡＣ電源の供給制御（ＯＮ／ＯＦＦ）を行う電源供給制御手段Ｄである。
【００８１】
先に述べた制御装置６が起動信号でウェイクアップオンラン手段を有したＰＣ１０を起動するのに代わりに、起動装置４０は起動信号を無線で電源制御装置４１に送信する。
【００８２】
一方、電源制御装置４１はこの起動信号を制御手段Ｄ４２が通信手段Ｄ４３を制御することにより受信し、電文解析手段Ｄ４４を用いて受信した電文内容を解析する、解析した結果がＰＣ１０への電源供給をＯＮにする旨の内容なら電源供給制御手段Ｄ４５の制御を行いＰＣ１０へ電源を供給する。このことにより携帯端末７を用いて遠隔から電源ＯＦＦ状態であるＰＣ１０の電源をＯＮにし、電気機器１０を制御するようにすることができる。
【００８３】
なお、先の実施例１から５において、携帯端末装置７における通信手段Ｂ１９とアダプタ装置８における通信手段Ｃ２２間の通信は有線による通信だけでなく、無線（赤外線を含む）を用いて情報を交信するようにすることもできる。このことによりアダプタ装置の配置場所について使用上の制約を受け難いので、使い勝手の向上を図ることができる。
【００８４】
また、先の実施例１から５において、アダプタ装置８から携帯端末装置７、ＩＰ網９およびＰＣ１０を介して制御装置６に接続し電気機器１０制御する方法について説明したが、図８のアダプタ装置８のブロック図に示すように、アダプタ装置８は携帯端末装置７およびＩＰ網９を介さず、無線通信手段Ｃ３８を用いて通信手段Ａ１４を介して制御装置６と無線で通信するように構成することもできるので、アダプタ装置８と制御装置６が無線で通信可能なエリアに設置されている場合（例えば、互いに宅内に存在する場合）は、ＩＰ網を介さないため電気機器１０を制御するまでの時間を短縮できる。
【００８５】
また、このような場合は、アダプタ装置８は制御装置６を介さず直接電気機器１０を制御するようにすることもできる。さらに、さきの実施例２から４で説明した、認証番号、認証手順、暗号番号、暗号手順およびポート番号をアダプタ装置８と制御装置６間で無線通信を用いて交信するようにすることもできる。また無線通信のプロトコルとしてはエコーネット規格やＨＯＭＥＲＦ規格やＩＥＥＥ８０２規格、Ｂｌｕｅｔｏｏｔｈ規格等の標準規格を用いることが考えられる。
【００８６】
なお、先の実施例１から５において、電気機器１０制御する内容は制御装置６間における制御内容記憶手段Ａ１２が有するとして説明したが、図８のアダプタ装置８のブロック図に示すように、制御内容記憶手段Ａ１２に記憶された内容をアダプタ装置８における制御内容記憶手段Ｃ３９が有する構成にすることもできる。このことにより、携帯端末装置７は電気機器１０を制御する内容を取得する際にはＩＰ網９を介して制御装置６にアクセスする必要がなくなり、電気機器１０を制御する内容の表示時間の短縮を図ることができ、電気機器１０を制御するまでの時間を短縮できる。
【００８７】
また、先の実施例１から５における電気機器１０としては、例えば、空調機器、照明、洗濯機、加湿器、給湯機、炊飯器、ビデオテープレコーダ、テレビ、セキュリティ機器、冷蔵庫、電気温水機、コーヒーポット、時計、洗濯機、植木用水やり機、ペット用餌やり機、食器洗い機、生ゴミ処理機、ＩＨ調理器等が考えられ、携帯端末装置７としては携帯電話、ＰＨＳ、パソコン、ＰＤＡ等が考えられ、制御装置６としてはパソコン、ノンＰＣ端末と呼ばれる情報端末装置（例えばこの情報端末装置の構成としては、ハードウエアは主に８ｂｉｔ程度のＣＰＵ、ＬＡＮコントローラＩＣおよび無線モジュールから構成され、ソフトウエアは前記の８ｂｉｔ程度のＣＰＵにＴＣＰ／ＩＰやＵＤＰ／ＩＰを実装し、アプリケーションとしてＨＴＴＰ、ＳＭＴＰ、ＰＯＰ、ＡＰＯＰを実装する構成）等が考えられる。
【００８８】
さらに、ＰＣ通信手段Ａ１１としては、ＵＳＢプロトコルに準拠したＵＳＢ通信手段が考えられる。制御装置６がＵＳＢインターフェースを有していれば、ＰＣからの電源供給（バスパワー）で動作することができ、電源ケーブルが不要になり小型・軽量な制御装置を提供することができ、使い勝手の向上を図ることができる。さらにＰＣ通信手段Ａ１１としＲＳ２３２Ｃを利用したシリアル通信手段、ＩＰ（Ｉｎｔｅｒｎｅｔ  Ｐｒｏｔｏｃｏｌ）を用いたＬＡＮ通信手段およびパラレル通信手段やＰＣ１０と無線を用いて通信を行う無線通信手段（赤外線、微弱無線、特定小電力無線、ブルートゥース等）が考えられる。
【００８９】
なお、制御装置は脱着可能な構成とし、起動装置に接続可能な構成にしたり、またはＩＰアドレスを有しＬＡＮに接続可能な構成とすることもできる。
【００９０】
なお、先の実施例１から５においてＰＣ１０はＩＰ網９に直接接続されるとして説明したが、ＡＤＳＬモデムや光ファイバーに接続されたルーターやパソコンに接続するようにしても同様に実施できる。また、携帯電話、ＰＨＳデータ通信用カード、無線ＬＡＮ等を用いて無線でＩＰ網９に接続するようにもでき、また、先の実施例１から５において述べたＩＰアドレスを用いた通信とは、例えば、ＯＳＩ基本参照モデルのデータリンク層にＥｔｈｅｒｎｅｔ（Ｒ）フレームやＩＥＥＥ８０２．３フレームを用い、ネットワーク層にＩＰアドレスを用いたＩＰ（Ｉｎｔｅｒｎｅｔ  Ｐｒｏｔｏｃｏｌ）が考えられ、ネットワーク層の上位層はＴＣＰやＵＤＰ、アプリケーション層にはＨＴＴＰやＦＴＰやｔｅｌｎｅｔを用いることが考えられる。またアプリケーション層のプロトコルは独自に開発することもできる。
【００９１】
なお、先の実施例１から５において述べたＩＰ網としてはインターンネット網や専用線等のＩＰアドレスを用いて通信を行う通信ネットワーク網が考えられ、また、先の実施例１から５では、制御装置６は通信手段Ａ１４を用いて電気機器１０に対して無線で制御電文を送信するとしたが、このときの制御電文のフォーマットや通信手順をエコーネット規格やＨＯＭＥＲＦ規格やＩＥＥＥ８０２規格、ＩＲＤＡ規格等の標準規格に準拠することにより異なるメーカーの電気機器を使用できるようになり拡張性の高いシステムを構築できる。
【００９２】
また新たに制御電文のフォーマットや通信手順を決めなくても良いので開発期間の短縮や開発コストの低減を図ることができる。また無線を使用せず電灯線や電話線やＬＡＮケーブル等のツイストペアケーブルや同軸ケーブルを用いて有線で送信するように構成することもできる。
【００９３】
そしてなお、先の実施例１から５においては携帯端末装置７とアダプタ装置８を別個にして説明したが、アダプタ装置８の機能を携帯端末装置７に含めるように構成することもできる。
【００９４】
【発明の効果】
以上のように、請求項１から４に記載の発明によれば、パーソナルコンピューター（ＰＣ）は前記携帯端末装置からの選択により、電気機器の制御内容を制御装置から取得し、携帯端末装置に電気機器の制御内容を表示し選択させて電気機器を制御するため、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない。
【００９５】
また、手で入力する必要がないため入力間違い等が発生せず、容易に電気機器を制御することができる。またＰＣを利用しているためＰＣ上で容易に電気機器の制御内容の追加や変更が可能である。
【００９６】
さらに、セキュリティを考えた場合、制御装置は携帯端末装置からＰＣを介して接続されているため、ＰＣが有するセキュリティ機能（携帯端末装置の認証、使用者の認証、通信データの暗号化等）を利用できるため、制御装置は高機能なＣＰＵや大容量のメモリを必要とするセキュリティ機能を備える必要がない。
【００９７】
またＰＣを利用しているためセキュリティに関連するソフトのバージョンアップ、新規ソフトの追加や使用者に合わせたカスタマイズなどを容易に行うことができ、使い勝手の向上を図ることができる。また、制御装置はＰＣに接続される構成のため、例えば制御装置はＵＳＢインターフェースを有していれば、ＰＣからの電源供給（バスパワー）で動作することができ、電源ケーブルが不要となり小型・軽量な制御装置を提供することが可能となり、使い勝手の向上を図ることができ、容易に電気機器を制御することができる。
【図面の簡単な説明】
【図１】本発明の実施例１における遠隔制御システムを示す構成図
【図２】同システムにおける制御装置のブロック図
【図３】同システムにおける携帯端末装置とアダプタ装置のブロック図
【図４】同システムにおける通信シーケンスを示す図
【図５】同システムにおけるアダプタ装置のブロック図
【図６】同システムにおける他の通信シーケンスを示す図
【図７】本発明の実施例２〜５における制御装置のブロック図
【図８】同装置におけるアダプタ装置を示すブロック図
【図９】本発明の実施例２における通信シーケンスを示す図
【図１０】本発明の実施例５における遠隔制御システムのブロック図
【図１１】同システムにおける電源制御装置のブロック図
【図１２】従来の遠隔制御システムの構成図
【符号の説明】
５  電気機器
６  制御装置
７  携帯端末装置
８  アダプタ装置
１０  ＰＣ
４０  起動装置
【図１】
2004180102.tif 000003
【図２】
2004180102.tif 000004
【図３】
2004180102.tif 000005
【図４】
2004180102.tif 000006
【図５】
2004180102.tif 000007
【図６】
2004180102.tif 000008
【図７】
2004180102.tif 000009
【図８】
2004180102.tif 000010
【図９】
2004180102.tif 000011
【図１０】
2004180102.tif 000012
【図１１】
2004180102.tif 000013
【図１２】
2004180102.tif 000014